(57)【要約】【課題】所望の曲を簡単に検索することができる楽曲検索端末を提供する。【解決手段】楽曲の名前である曲目を複数のカテゴリに分類する楽曲カテゴリ情報を記憶する記録媒体と、前記記録媒体から情報の読み出しを行う楽曲検索端末と、前記楽曲カテゴリ情報と前記楽曲の曲目に関する情報である曲目情報とを対応付けて記憶する曲目データベースとを有するカラオケ管理システムにおいて用いられる楽曲検索端末であって、前記楽曲カテゴリ情報を前記記録媒体から読み出す読み出し部と、前記読み出し部が読み出した楽曲カテゴリ情報に対応する曲目情報を前記曲目データベースから検索して読み出す曲目検索部と、前記曲目検索部が読み出した曲目情報を出力する出力部と、を有することを特徴とする。【選択図】  図１
2004240179.tif 000002
【特許請求の範囲】
【請求項１】
楽曲の名前である曲目を複数のカテゴリに分類する楽曲カテゴリ情報を記憶する記録媒体と、
前記記録媒体から情報の読み出しを行う楽曲検索端末と、
前記楽曲カテゴリ情報と前記楽曲の曲目に関する情報である曲目情報とを対応付けて記憶する曲目データベースと
を有するカラオケ管理システムにおいて用いられる楽曲検索端末であって、
前記楽曲カテゴリ情報を前記記録媒体から読み出す読み出し部と、
前記読み出し部が読み出した楽曲カテゴリ情報に対応する曲目情報を前記曲目データベースから検索して読み出す曲目検索部と、
前記曲目検索部が読み出した曲目情報を出力する出力部と、
を有することを特徴とする楽曲検索端末。
【請求項２】
前記曲目検索部によって読み出された曲目情報を選択する指示を入力する入力部と、
楽曲を再生するカラオケ装置に対し、前記入力部によって指示された曲目情報に対応する楽曲を再生させる指示をする再生指示部と、
を有することを特徴とする請求項１記載の楽曲検索端末。
【請求項３】
楽曲の名前である曲目を複数のカテゴリに分類する楽曲カテゴリ情報を記憶する記録媒体と、
前記記録媒体から情報の読み出しを行う楽曲検索端末と、
前記楽曲カテゴリ情報と前記楽曲の曲目に関する情報である曲目情報とを対応付けて記憶する曲目データベースと
を有するカラオケ管理システムにおいて用いられる楽曲検索方法であって、
前記楽曲カテゴリ情報を前記記録媒体から読み出し、
読み出した楽曲カテゴリ情報に対応する曲目情報を前記曲目データベースから検索し、
検索された曲目情報を出力装置によって出力する
ことを特徴とする楽曲検索方法。
【請求項４】
複数の楽曲をカテゴリ毎に分類する楽曲カテゴリ情報を記憶する記録媒体と、
前記記録媒体から情報の読み出しを行う楽曲検索端末と、
前記楽曲カテゴリ情報と前記楽曲の曲目に関する情報である曲目情報とを対応付けて記憶する曲目データベースと
を有するカラオケ管理システムにおいて用いられる楽曲検索プログラムであって、
前記楽曲カテゴリ情報を前記記録媒体から読み出すステップと、
読み出した楽曲カテゴリ情報に対応する曲目情報を前記曲目データベースから検索するステップと、
検索された曲目情報を出力装置によって出力するステップと
をコンピュータに実行させることを特徴とする楽曲検索プログラム。
【発明の詳細な説明】
【０００１】
【発明の属する技術分野】
この発明は、カラオケ装置において演奏する楽曲を検索する楽曲検索端末、楽曲検索方法、楽曲検索プログラムに関するものである。
【０００２】
【従来の技術】
従来、カラオケの曲目選択は、非常に分厚いリストブックを手でめくりながら、自分が歌いたい曲を探し出すことにより行われていた。探し出された曲目の曲目コードを選曲リモコンに入力し、予約ボタンを押下することにより、カラオケ装置内に曲目コードが蓄積されたのち、曲目コードに応じた楽曲が順次演奏される。これにより、顧客は、演奏された楽曲に合わせて歌うことが可能である。この楽曲を演奏するための楽曲データは、カラオケ装置内のディスクやネットワークを介して接続される楽曲サーバから読み出すことにより得られる。
【０００３】
従来、カラオケの楽曲を簡単に検索するものとして、選曲された楽曲の履歴を選曲用データとしてＩＣカードに保存しておき、次回以降歌う場合にＩＣカードから選曲用データを読み出すことにより、楽曲を検索が可能なシステムがある（例えば、特許文献１参照）。
【０００４】
【特許文献１】
特開平０９−１２７９６７号公報
【０００５】
【発明が解決しようとする課題】
しかしながら、上述したリストブックから選曲する方法によれば、リストブックに掲載されている検索対象の楽曲が膨大な量であり、その中から所望の楽曲を探し出すには手間と時間がかかるうえに、探しにくいという問題点があった。
特に、リストブックには、自分が歌いたいと所望しない曲も多数含まれており、それら全ての情報から曲目を選択しなければならないので、非常に非効率的であった。
また、ＩＣカードを利用して選曲した履歴の中から選択する方法によれば、検索する手間を軽減することができるが、過去に選択した履歴がない楽曲については、新たに検索しなければならないという問題点があった。
【０００６】
本発明は、このような事情に鑑みてなされたもので、その目的は、所望の曲を簡単に検索することができる楽曲検索端末、楽曲検索方法、楽曲検索プログラムを提供することにある。
【０００７】
【課題を解決するための手段】
上述した課題を解決するために、本発明は、楽曲の名前である曲目を複数のカテゴリに分類する楽曲カテゴリ情報を記憶する記録媒体と、前記記録媒体から情報の読み出しを行う楽曲検索端末と、前記楽曲カテゴリ情報と前記楽曲の曲目に関する情報である曲目情報とを対応付けて記憶する曲目データベースとを有するカラオケ管理システムにおいて用いられる楽曲検索端末であって、前記楽曲カテゴリ情報を前記記録媒体から読み出す読み出し部と、前記読み出し部が読み出した楽曲カテゴリ情報に対応する曲目情報を前記曲目データベースから検索して読み出す曲目検索部と、前記曲目検索部が読み出した曲目情報を出力する出力部と、を有することを特徴とする。
【０００８】
また、本発明は、上述の楽曲検索端末において、前記曲目検索部によって読み出された曲目情報を選択する指示を入力する入力部と、楽曲を再生するカラオケ装置に対し、前記入力部によって指示された曲目情報に対応する楽曲を再生させる指示をする再生指示部と、を有することを特徴とする。
【０００９】
また、本発明は、楽曲の名前である曲目を複数のカテゴリに分類する楽曲カテゴリ情報を記憶する記録媒体と、前記記録媒体から情報の読み出しを行う楽曲検索端末と、前記楽曲カテゴリ情報と前記楽曲の曲目に関する情報である曲目情報とを対応付けて記憶する曲目データベースとを有するカラオケ管理システムにおいて用いられる楽曲検索方法であって、前記楽曲カテゴリ情報を前記記録媒体から読み出し、読み出した楽曲カテゴリ情報に対応する曲目情報を前記曲目データベースから検索し、検索された曲目情報を出力装置によって出力することを特徴とする。
【００１０】
また、本発明は、複数の楽曲をカテゴリ毎に分類する楽曲カテゴリ情報を記憶する記録媒体と、前記記録媒体から情報の読み出しを行う楽曲検索端末と、前記楽曲カテゴリ情報と前記楽曲の曲目に関する情報である曲目情報とを対応付けて記憶する曲目データベースとを有するカラオケ管理システムにおいて用いられる楽曲検索プログラムであって、前記楽曲カテゴリ情報を前記記録媒体から読み出すステップと、読み出した楽曲カテゴリ情報に対応する曲目情報を前記曲目データベースから検索するステップと、検索された曲目情報を出力装置によって出力するステップとをコンピュータに実行させることを特徴とする。
【００１１】
【発明の実施の形態】
以下、本発明の一実施形態による楽曲検索端末を図面を参照して説明する。
図１は、この発明の一実施形態による楽曲検索端末を適用したカラオケ管理システムの構成を示す概略ブロック図である。
この図において、申込用紙１０は、会員情報を記入するための会員情報記入欄と、楽曲カテゴリ情報を記入するための楽曲カテゴリ情報記入欄とが設けられている。
ここで、会員情報とはカラオケを利用する利用者に関する情報であり、例えば、利用者の会員番号、住所、氏名、性別、電話番号等が含まれる。楽曲カテゴリ情報とは、曲目を複数のカテゴリに分類する情報である。具体的には、楽曲カテゴリ情報は、歌手別、ジャンル別、最新楽曲別等のように大別されている。曲目を歌手別に分類した場合には、歌手Ａ、歌手Ｂ、…が楽曲カテゴリ情報に相当し、曲目をジャンル別に分類した場合には、バラード、ロック、演歌、…が楽曲カテゴリ情報に相当し、最新楽曲別に分類した場合には、２００×年△月配信開始、２００×年○月配信開始、…が楽曲カテゴリ情報に相当する。
また、楽曲とは、演奏される曲のことであり、曲目とは、楽曲の名前（題名）である。
【００１２】
受付端末１は、カラオケ店内に設けられ、申込用紙１０に記載された内容に基づいて、ＩＣカード２を発行する。この受付端末１において、情報入力部２１は、入力者からの指示に基づいて、申込用紙１０に記載された会員情報と楽曲カテゴリ情報とを入力する。
書き込み部１２は、ＩＣカード２と通信を行う機能を有し、会員情報入力部２１から入力された会員情報をＩＣカード２の会員情報記憶部２１に記憶するとともに、楽曲カテゴリ情報を楽曲カテゴリ情報記憶部２１に記憶する。
【００１３】
ＩＣカード２は、受付端末１と楽曲検索端末３と通信を行う機能を有するとともに、会員情報記憶部２１と楽曲カテゴリ情報記憶部２２とを有する。
会員情報記憶部２１は、書き込み部１２からの指示に基づいて会員情報を記憶する。
楽曲カテゴリ情報記憶部２２は、書き込み部１２からの指示に基づいて楽曲カテゴリ情報を記憶する。ここでは、楽曲カテゴリ情報は、歌手コード、ジャンルコードとして記憶され、このコードによって楽曲カテゴリ情報を特定することが可能である。
【００１４】
楽曲検索端末３は、楽曲カテゴリ情報読み出し部３１、曲目検索部３２、出力部３３、入力部３４、再生指示部３５、楽曲カテゴリリスト記憶部３６、楽曲カテゴリ情報登録部３７を有し、ＩＣカード２と無線または有線によって通信可能であるとともに、カラオケ装置４と無線または有線によって通信可能である。
この楽曲検索端末３は、カラオケ装置４と通信可能な場所に設けられており、例えば、カラオケを歌う室内（カラオケ店のルーム内、カラオケを歌うことが可能な飲食店内）に設けられる。
さらに、楽曲検索端末３は、所定の場所に固定されていてもよく、また、移動可能に構成されていてもよい。利用者が利用しやすい点をからすれば、移動可能に構成することが望ましい。この場合、例えば、ＰＤＡ（Ｐｅｒｓｏｎａｌ  Ｄｉｇｉｔａｌ  Ａｓｓｉｓｔａｎｃｅ）のような大きさに構成することが望ましい。
【００１５】
楽曲カテゴリ情報読み出し部３１は、ＩＣカード２と通信を行い、楽曲カテゴリ情報記憶部２２から楽曲カテゴリ情報を読み出す。
曲目検索部３２は、楽曲カテゴリ情報記憶読み出し部３１が読み出した楽曲カテゴリ情報に対応する曲目情報を、カラオケ装置４を介して曲目データベース５２から検索して読み出す。
出力部３３は、液晶表示装置などの表示装置やスピーカなどの音声出力装置によって構成され、曲目検索部３２が読み出した曲目情報を出力する。
入力部３４は、曲目検索部によって読み出された曲目情報を外部からの指示に基づいて選択し、選択された曲目情報を再生指示部３５に再生要求をする。
再生指示部３５は、カラオケ装置４に対し、入力部３４によって指示された曲目情報に対応する楽曲情報を再生させる指示をする。
【００１６】
楽曲カテゴリリスト記憶部３６は、楽曲カテゴリ情報を大別する情報（「歌手別」、「ジャンル別」、「最新楽曲別」）と楽曲カテゴリ情報とを対応付けて楽曲カテゴリリストとして記憶している。
楽曲カテゴリ情報登録部３７は、外部から入力される指示に基づいて、楽曲カテゴリリスト記憶部３６を検索し、楽曲カテゴリ情報をＩＣカード２の楽曲カテゴリ情報記憶部２２に記憶する。
【００１７】
カラオケ装置４は、通信部４１、楽曲検索部４２、演奏部４３、出力部４４と有する。通信部４１は、楽曲検索端末３と通信可能であるとともに、カラオケサーバ５と通信可能である。
楽曲検索部４２は、通信部４１によってカラオケサーバ５と通信を行い、再生指示部３５から再生が指示された曲目情報に対応する楽曲の楽曲データを楽曲データベース５３から読み出す。
演奏部４３は、楽曲検索部４２が読み出した楽曲データに基づいて楽曲を演奏する。
出力部４４は、演奏部４３によって演奏された音声をスピーカから出力するとともに、画像をＣＲＴ（Ｃａｔｈｏｄｅ  Ｒａｙ  Ｔｕｂｅ）や液晶表示装置などの表示装置に出力する。
【００１８】
カラオケサーバ５は、通信部５１と曲目データベース５２と楽曲データベース５３とによって構成され、例えば、カラオケ店内に設置される。カラオケ店がチェーン店である場合、このカラオケサーバ５は、カラオケ店の本部等に設置され、各カラオケ店に設けられるカラオケ装置４のそれぞれに対して通信可能に構成される。
通信部５１は、カラオケ装置４と通信を行う。この通信部５１とカラオケ装置４の通信部４１とは、例えば、インターネットや専用回線などのネットワークを介して通信可能に接続されている。
曲目データベース５２は、楽曲カテゴリ情報と楽曲の曲目に関する情報である曲目情報とを対応付けて記憶する。この曲目データベース５２に記憶される情報は、例えば、図２に示すように、「歌手Ａ、歌手Ｂ、…」のカテゴリ情報が「歌手別」に大別されているとともに、「バラード、ロック、…」のカテゴリ情報が「ジャンル別」に大別され、各カテゴリ情報に曲目が対応付けられて記憶されている。
楽曲データベース５３は、カラオケの楽曲を演奏するための演奏データを曲目情報に対応付けて記憶する。
【００１９】
次に、上述した構成におけるカラオケ管理システムの動作について図３のフローチャートを用いて説明する。
まず、会員はカラオケ店に出向き、受付カウンターに設置されている申込用紙１０に会員情報と楽曲カテゴリ情報（例えば、バラード、歌手Ａ）とを記入し、受付係に渡す。受付係は、申込用紙１０に記入された情報に基づき、情報入力部１１から会員情報と楽曲カテゴリ情報とを入力する。このとき、必要に応じて、顧客に対し身分証明書を提示してもらい、本人であるか否かについて確認してもよい。
書き込み部１２は、情報入力部１１から入力された会員情報と楽曲カテゴリ情報とをＩＣカード２に書き込む（ステップＳ１）。この書き込み処理により、ＩＣカード２に楽曲カテゴリ情報と会員情報とが記憶される（ステップＳ２）。
【００２０】
受付係は、会員情報と楽曲カテゴリ情報とが書き込まれたＩＣカード２を顧客に渡す。顧客は、ＩＣカード２を受け取り、受付係に指定されたルームに入り、楽曲検索端末３にＩＣカード２を挿入する。
楽曲検索端末３は、ＩＣカード２が挿入され、楽曲検索端末３に設けられている「歌う」ボタンが顧客によって押下されると、楽曲カテゴリ情報読み出し部３１によって、ＩＣカード２から楽曲カテゴリ情報を読み出し（ステップＳ３）、読み出された楽曲カテゴリ情報を出力部３３に出力する。このとき、出力部３３の表示画面には、「バラード、歌手Ａ」が表示される。そして、顧客によって選択ボタンが押下され、「歌手Ａ」が指示されると、楽曲検索端末３は、曲目検索部３２によって、カラオケ装置４の通信部４１とカラオケサーバ５の通信部５１とを介して曲目データベース５２にアクセスし、「歌手Ａ」の楽曲カテゴリ情報に対応する曲目情報（曲Ａ１、曲Ａ２、…）をカラオケ装置４を介して読み出す（ステップＳ４）。そして、楽曲検索端末３は、読み出した曲目情報（曲Ａ１、曲Ａ２、…）を出力部３３によって出力する（ステップＳ５）。
【００２１】
出力された曲目情報の中から所望の楽曲として「曲Ａ１」が選択され、顧客によって入力部３４を介して再生が指示されると（ステップＳ６）、再生指示部３５は、カラオケ装置４に対し、指示された曲目情報「曲Ａ１」を送信するとともに、楽曲の再生指示をする（ステップＳ７）。
【００２２】
カラオケ装置４は、楽曲検索端末３から楽曲の再生指示を受信すると（ステップＳ８）、楽曲検索部４２によって、楽曲検索端末３から送信された曲目情報「曲Ａ１」に対応する楽曲データを通信部４１と通信部５１とを介してカラオケサーバ５の楽曲データベース５３に要求する（ステップＳ９）。カラオケサーバ５は、曲目情報「曲Ａ１」に対応する楽曲データの要求を受信すると（ステップＳ１０）、受信した曲目情報「曲Ａ１」に対応する楽曲データを楽曲データベース５３から検索し、検索された楽曲データを楽曲データベース５３から配信する（ステップＳ１１）。
カラオケ装置４は、配信された楽曲データを受信し（ステップＳ１２）、演奏部４３によって演奏する（ステップＳ１３）。出力部４４は、演奏部４３によって演奏された楽曲データを出力する。これにより、顧客は、所望の歌を簡単に検索して歌うことができる。
【００２３】
次に、顧客によって、楽曲カテゴリ情報を登録するためのボタンである「カテゴリ登録」ボタンが押下され登録要求されると（ステップＳ１４）、楽曲カテゴリ情報登録部３７は、「歌手別」と「ジャンル別」と「最新楽曲別」の項目を出力部３３に出力する。そして、楽曲カテゴリ情報登録部３７は、顧客によって「歌手別」が選択されると、楽曲カテゴリ情報登録部３７は、楽曲カテゴリリスト記憶部３６から「歌手別」に対応付けられている楽曲カテゴリ情報（歌手Ａ、歌手Ｂ、…）を読み出し、出力部３３に出力する（ステップＳ１５）。そして、出力された楽曲カテゴリ情報の中から、「歌手Ｂ」の楽曲カテゴリ情報が選択されると（ステップＳ１６）、楽曲カテゴリ情報登録部３７は、ＩＣカード２の楽曲カテゴリ情報記憶部２２に「歌手Ｂ」の楽曲カテゴリ情報を書き込む。これにより、ＩＣカード２に楽曲カテゴリ情報が追加されて記憶される（ステップＳ１７）。
【００２４】
なお、以上説明した実施形態において、ＩＣカード２の楽曲カテゴリ情報記憶部２２に記憶された楽曲カテゴリ情報にさらに、優先順位を設定しておき、楽曲検索端末３によって楽曲カテゴリ情報が読み出された場合に、高い優先順位が設定された楽曲カテゴリ情報の曲目が、出力部３３に優先的（表示画面の上方）に表示されるようにしてもよい。
【００２５】
また、上述の実施形態においては、ＩＣカード２は、１つである場合について説明したが、来店した顧客に申込用紙１０に所定の情報を書き込んでもらい、各顧客のそれぞれにＩＣカード２が発行されようにしてもよい。この場合、ＩＣカード２を所有する顧客は、曲を検索する際、他の顧客のＩＣカード２が抜き取られた後に、自身に発行されたＩＣカード２を楽曲検索端末３に挿入し、検索を行う。
【００２６】
また、上述した実施形態において、楽曲カテゴリリスト記憶部３６が楽曲検索端末３内に設けられる場合について説明したが、カラオケサーバ５に設けるようにしてもよい。この場合、楽曲カテゴリ情報登録部３７が、カラオケ装置４の通信部４１と通信部５１とを介して楽曲カテゴリリスト登録部３６にアクセスし、楽曲カテゴリリストを配信してもらう。また、カラオケ装置４を介さず楽曲検索端末３がカラオケサーバ５と直接通信可能であれば、楽曲カテゴリ情報登録部３７がカラオケサーバ５から楽曲カテゴリリストを配信してもらうようにしてもよい。
また、楽曲カテゴリリスト記憶部３６をカラオケ装置４に設け、楽曲カテゴリ情報登録部３７がカラオケ装置４の楽曲カテゴリリスト記憶部３６から楽曲カテゴリリストを受信するようにしてもよい。
【００２７】
また、上述した実施形態においては、楽曲データベース５３は、カラオケサーバ５に設けられる場合について説明したが、楽曲データをレーザーディスクなどの記録媒体に記憶しておき、この記録媒体をカラオケ装置４内に設けるようにしてもよい。
【００２８】
また、カラオケ店（飲食店）において、飲食物の注文に応じて提供することが可能である場合、楽曲検索端末３に、飲食物のメニューを表示する機能と、表示されたメニューの中から顧客によって選択されたメニューを注文受付装置に送信する機能を設けるようにしてもよい。これにより、インターホンなどによって注文する必要が無くなるので、カラオケの音声によってインターホンによって注文する際の会話が聞き取りにくくなることを防ぐことができる。
さらに、注文されたメニューをオーダー情報としてＩＣカード２に記憶しておき、カラオケ代金を精算する際、精算カウンターにおいてＩＣカード２からオーダー情報を読み出して、飲食物代金の精算を行うようにしてもよい。これにより、オーダー情報の管理を簡単に行うことができる。
【００２９】
また、上述した実施形態において、楽曲検索端末３は、ＩＣカード２から読み出した楽曲カテゴリ情報を表示する場合について説明したが、ＩＣカード２が挿入されない場合には、最新楽曲など、デフォルトの情報を表示するようにしてもよい。
【００３０】
また、上述した実施形態において、カラオケ管理システムにＩＣカード２を用いる場合について説明したが、楽曲カテゴリ情報を記憶することができ、楽曲検索端末３に楽曲カテゴリ情報を提供することができる記録媒体であれば、ＩＣカード２に限られるものではない。この記録媒体の一例としては、磁気テープが取り付けられた磁気カード等があげられる。
【００３１】
また、図１における楽曲カテゴリ情報読み出し部３１、曲目検索部３２、出力部３３、入力部３４、再生指示部３５の機能を実現するためのプログラムをコンピュータ読み取り可能な記録媒体に記録して、この記録媒体に記録されたプログラムをコンピュータシステムに読み込ませ、実行することにより楽曲検索処理を行ってもよい。なお、ここでいう「コンピュータシステム」とは、ＯＳや周辺機器等のハードウェアを含むものとする。
【００３２】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００３３】
以上、この発明の実施形態を図面を参照して詳述してきたが、具体的な構成はこの実施形態に限られるものではなく、この発明の要旨を逸脱しない範囲の設計等も含まれる。
【００３４】
【発明の効果】
以上説明したように、この発明によれば、楽曲カテゴリ情報が記憶された記録媒体から楽曲カテゴリ情報を読み出し、読み出した楽曲カテゴリ情報に対応する曲目情報を曲目データベースから検索して読み出し、読み出した曲目情報を出力するようにしたので、所望の曲を簡単に検索することができる効果が得られる。また、楽曲カテゴリ情報に対応付けられた楽曲が表示可能であるので、過去に歌った履歴がない曲目についても閲覧可能であり、これにより、利用者が所望する楽曲に関連する曲目についても閲覧することができ、利用者にとって、過去に歌った履歴がない曲目についても参照して、選択することができ、所望しない楽曲を大幅に削減しつつ、歌いたい曲に関する情報を検索することができる。
【００３５】
また、この発明によれば、曲目検索部によって読み出された曲目情報のうち、選択された楽曲情報を再生させる指示をカラオケ装置に行うようにしたので、楽曲の検索から演奏までの一連の操作を簡単に行うことができる。
【図面の簡単な説明】
【図１】この発明の一実施形態による楽曲検索端末を適用したカラオケ管理システムの構成を示す概略ブロック図である。
【図２】曲目データベース５２に記憶される情報の一例を示す図面である。
【図３】カラオケ管理システムの動作について説明するためのフローチャートである。
【符号の説明】
１  受付端末                      ２  ＩＣカード
３  楽曲検索端末                  ４  カラオケ装置
５  カラオケサーバ                １０  申込用紙
１１  情報入力部                  １２  書き込み部
２１  会員情報入力部              ２２  楽曲カテゴリ情報記憶部
３１  楽曲カテゴリ情報読み出し部  ３２  曲目検索部
３３  出力部                      ３４  入力部
３５  再生指示部                  ３６  楽曲カテゴリリスト記憶部
３７  楽曲カテゴリ情報登録部      ５１  通信部
５２  曲目データベース            ５３  楽曲データベース
【図１】
2004240179.tif 000003
【図２】
2004240179.tif 000004
【図３】
2004240179.tif 000005